(57)【要約】      （修正有）【課題】室内を加湿する加湿器に係り、安定した蒸気量を室内に放出すると共に、意匠効果を高める加湿器を提供する。【解決手段】水槽及びこの水槽の水を蒸発させる加湿手段を備えた本体と、本体上部に着脱自在に装着して水槽に水を補給する給水タンクと、加湿手段により蒸発された蒸気を外気に噴出させる電動ファンと、を含む加湿器において、給水タンク内は、仕切壁によって水貯留室と、蒸気と送風とを混合する混合室と、混合室内の蒸気を外気に噴出するための蒸気通路と、を形成したので、安定した量の蒸気を放出できる。また給水タンクを透明又は半透明樹脂により構成し、本体側には混合室内を照射する発光ダイオードを設けた。【選択図】図１
0003110211.tif 000002
【実用新案登録請求の範囲】
【請求項１】
水槽及びこの水槽の水を蒸発させる加湿手段を備えた本体と、該本体上部に着脱自在に装着して前記水槽に水を補給する給水タンクと、前記加湿手段により蒸発された蒸気を外気に噴出させる電動ファンと、を含む加湿器において、
給水タンク内は、仕切壁によって水貯留室と、蒸気と電動ファンからの送風とを混合する混合室と、該混合室内の蒸気を外気に噴出するための蒸気通路と、を形成したことを特徴とする加湿器。
【請求項２】
前記給水タンクを透明又は半透明樹脂により構成し、一方前記本体には、前記混合室内を照射する発光ダイオードを設けたことを特徴とする請求項１に記載の加湿器。
【請求項３】
前記混合室下部と蒸気通路下部は連通孔によって連通させると共に前記混合室下面には水槽に連通する小孔を設けたことを特徴とする請求項１または２に記載の加湿器。
【考案の詳細な説明】
【技術分野】
【０００１】  本考案は、超音波振動やヒータ加熱により水を霧化し、霧化した蒸気を外気に噴霧する加湿器に係り、特に蒸気を外気に噴霧する前に蒸気と送風とを混合する混合室に関する。
【背景技術】
【０００２】  従来から知られているこの種の加湿器は、水槽内の水を霧化し、そして霧化した蒸気を電動ファンからの送風に乗せて、吐出口から外気に噴霧している。
【考案の開示】
【考案が解決しようとする課題】
【０００３】  上記従来技術の加湿器は、蒸気を噴霧通路に運び、そして電動ファンからの送風を噴霧通路に導入し、送風の勢いで蒸気を外気に放出するように構成されているので、送風量が多い割に蒸気量は少なかったりして、安定した量の蒸気を噴霧することができなかった。【０００４】  本考案は、このような課題を解決し、常時安定した蒸気量を外気に噴霧することができる加湿器を提供する。
【課題を解決するための手段】
【０００５】  本考案は、水槽及びこの水槽の水を蒸発させる加湿手段を備えた本体と、該本体上部に着脱自在に装着して前記水槽に水を補給する給水タンクと、前記加湿手段により蒸発された蒸気を外気に噴出させる電動ファンと、を含む加湿器において、給水タンク内は、仕切壁によって水貯留室と、蒸気と電動ファンからの送風とを混合する混合室と、該混合室内の蒸気を外気に噴出するための蒸気通路と、を形成したことを特徴とする。【０００６】  また本考案は、給水タンクを透明又は半透明樹脂により構成し、一方本体には、混合室内を照射する発光ダイオードを設けたことを特徴とする。【０００７】  更に本考案は、混合室下部と蒸気通路下部は連通孔によって連通させると共に混合室下面には水槽に連通する小孔を設けたことを特徴とする。
【考案の効果】
【０００８】  本考案の加湿器は、給水タンクに混合室を設け、この混合室に蒸気と送風を導入して混合し、その後に蒸気通路に蒸気を送り出して外気に噴出しているので、安定した蒸気量を噴出できる。【０００９】  また本考案は、請求項２に示すように、給水タンクを透明又は半透明樹脂により構成し、一方本体には、混合室内を照射する発光ダイオードを設けているので、簡単な構成によって幻想的な雰囲気を持つ加湿器を提供できる。特に混合室内の蒸気は送風によってゆらゆら動きながら撹拌混合するので、その蒸気の混合状態が光により浮かび上がり、視覚的な美的印象を与えることができる。【００１０】  さらに本考案は、請求項３に示すような構成にしたことにより、外気へ噴出するまでの途中の蒸気が結露して水滴になったとしても、その水滴は水槽に戻されて再び蒸気にすることができる。
【考案を実施するための最良の形態】
【００１１】  本考案の加湿器を、図１〜図８に基づいて説明する。図１は加湿器の縦断面図、図２は給水タンクの横断面図、図３は給水タンクを取り外した本体の上面図、図４は給水タンクの裏面部分に取り付けた給水キャップの一部を示す拡大平面図、図５は給水キャップを含む水位制御手段部分の拡大断面図、図６は滴下口が開いた状態を示す水位制御手段部分の拡大断面図、図７は図１の符号Ａで囲まれた部分の拡大断面図、図８は同じく符号Ｂで囲まれた部分の拡大断面図である。【００１２】  本考案は、水槽１及びこの水槽１内の水を蒸発させる加湿手段２を備えた上面視ほぼ円形状の樹脂製本体３と、本体３に着脱自在に装着して水槽１に水を滴下して補給する上面視ほぼ円形状の樹脂製給水タンク４と、水槽内の水位を一定に保持する水位制御手段５と、加湿手段２により蒸発された蒸気を外気に噴出させる電動ファン６と、から構成されている。【００１３】  水槽１の一部に凹所７が設けられ、その凹所７の底部に加湿手段２を構成する超振動子２ａが装着されている。振動子２ａの超音波振動により水槽内の水が霧化される超音波霧化方式を採用している。本体３の上面には電動ファン６からの送風が給水タンク４内に導入する送風口８が開けられている。【００１４】  前記給水タンク４は、透明又は半透明の下体４１と、この下体４１に接着剤により固着された透明又は半透明の上体４２と、から構成してある。実際には図７に示すように下体４１の上面に溝４１１が設けられ、この溝４１１に上体４２及び後述する仕切壁９を位置し接着剤により水密的に固着する。そして給水タンク４内には、上体４２側に設けた仕切壁９により水貯留室４ａと、蒸気と送風とを混合する混合室４ｂ、及び混合した蒸気を外気に噴出するための蒸気通路４ｃと、を形成してある。（図１、図２参照）【００１５】  水貯留室４ａは、上体４２に外気と連通した給水口１０を備え、下体４１には図５に示す連通窓１５を設け、この連通窓１５の開口端部の外周に螺状が刻設され、この螺状に着脱自在に螺着される樹脂製キャップ１６により連通窓１５が塞がれるようになっている。キャップ１６は、中央部に円筒１７が設けられ、その円筒１７の上部開口部を滴下口１８にしてある。円筒１７の下部には、図４や図５に示すように連通口１９が設けられており、連通口１９の内側には連結片２０を介して支持リング２１が設けられている。【００１６】  滴下口１８の周縁は傾斜した弁座に形成し、この弁座に対向して設けた弁体２２により滴下口１８を開閉するようになっている。この弁体２２の弁座に接触する表面にはゴムパッキング（図示せず）が設けられている。この弁体２２から垂下した弁桿２３を支持リング２１に貫通させて支持リング２１を中心に揺動自在且つ上下動自在にしてある。弁桿２３の下端面には大径な作動板２４を備え、この作動板２４と支持リング２１との間にコイルスプリング２５を介挿してある。このコイルスプリング２５は、弁体２２が常時弁座上に密接して滴下口１８を閉じる方向に作用する。【００１７】  キャップ１６の内面には支持棒２６が複数個設けられ、この支持棒２６によって珊瑚を加工して作られた浄化用フィルターユニット２７が着脱自在に取り付けられている。【���０１８】  混合室４ｂの底部（下体４１）には水槽１に連通した蒸気導入口１１及び水槽１の送風口８に対向して送風吐出口２８が設けられている。蒸気導入口１１は筒状体から構成され、下端開口が水槽１の蒸気を発生する凹所７の上方に位置し、上端開口は混合室４ｂ内に突出させてある。また、混合室４ｂと蒸気通路４ｃとを仕切る仕切壁９の下端部分の下体４１の一部には図８に示すような窪み４１２設け、この窪み４１２を通じて混合室４ｂと蒸気通路４ｃとが連通孔４１３を介して連通される。従って混合室４ｂ内で蒸気が結露して水滴になった場合は、この水滴は連通孔４１３を通って蒸気通路４ｃ内に移動する。【００１９】  蒸気通路４ｃの出口は蒸気を外気に噴出させる噴出口１２が設けられている。また蒸気通路４ｃには仕切壁１３を設けて蒸気を蛇行させて外気への噴出スピードを抑制してある。そして蒸気が蛇行する間に結露する水滴及び連通孔４１３を通って蒸気通路４ｃに入ってきた混合室４ｂ内の結露水を水槽１内に戻すための小孔１４が設けられている。【００２０】  水位制御手段５を構成するフロート２９が、その中央部を水槽１内底部に設けた支持片３０に揺動自在に枢支３０ａされている。このフロート２９は、一端に浮き部２９ａ、他端に、弁桿２３の作動板２４の端縁部に対峙させた押圧棒２９ｂを備えている。従って押圧棒２９ｂは、水槽１の水位下降時にフロートの枢支部３０ａを中心に円弧状に上動して弁桿２３を斜め下方から斜め上方に押圧して、該弁桿２３を揺動させることにより弁体２２を移動させて滴下口１８を開口するようにしてある。（図６参照）【００２１】  混合室４ｂに対向する本体３の上面部に発光素子（以下ＬＥＤという）３１が混合室４ｂに向かって照射されるように複数個取り付けられている。混合室４ｂを構成する給水タンク４は透明又は半透明であるので、ＬＥＤ３１からの光は混合室４ｂ内に入射されて、蒸気を照明する。蒸気は送風によって移動しながら送風と混合しているので、その蒸気は光によって浮かび上がり、ゆらゆらと揺れるので、視覚的な美的印象を与えることができる。特に赤色、青色、白色等のＬＥＤ３１を装着するか又は、電気回路で色変調を行えば、より幻想的な雰囲気の加湿器を提供できる。【００２２】  次に、本考案の加湿器の動作について説明する。
本体３の水槽１に所定水位状態で水が貯留していると、フロート２９の浮き部２９ａが水位によって上昇する。その結果押圧棒２９ｂは下位位置にあるので、弁桿２３の作動板２４を押し上げることはない。（図５参照）【００２３】  一方、水槽１に所定水量があると、図示しないが磁石浮き子とリードスイッチの働きにより電気回路が作動して振動子２ａと電動ファン６が作動する。そして振動子２ａによって発生した蒸気（図１の白矢印）は蒸気導入口１１を通って混合室４ｂには入り、また電動ファン６からの送風（図１の黒矢印）は送風口８及び送風吐出口２８を通して混合室４ｂに入る。混合室４ｂにおいて蒸気と送風とが混合され、均一な状態となる。その後混合された蒸気は蒸気通路４ｃを経て噴出口１２から外気に噴出される。【００２４】  混合室４ｂ内で、壁面等に接触して結露した水滴は下部に設けた連通孔４１３を通って蒸気通路４ｃに導入される。また蒸気通路４ｃにおいても噴出口１２から外気に噴出される間に結露水が発生するので、この結露水と連通孔４１３を通って導入された混合室４ｂ内の結露水は、小孔１４から水槽１に戻されて蒸気用の水に供される。（図８参照）【００２５】  一方、ＬＥＤ３１にも通電されるので、ＬＥＤ３１の発光により混合室４ｂ内の蒸気が上述したように照明されて室内装飾品としての機能も発揮する。【００２６】  水槽１内の水は、振動子２ａにより霧化されることにより水位が下がってフロート２９の浮き部２９ａが水位に連動して下がる。するとフロート２９は枢支部３０ａを中心に揺動して押圧棒２９ｂを上動させる。この押圧棒２９ｂの上動によって弁桿２３の作動板２４を押し上げ、弁体２２を移動させて滴下口１８を開口、し給水タンク４内の水を水槽に補給する。【００２７】  実際には、図６に示すように押圧棒２９ｂは枢支部３０ａを中心に円弧状に上動して作動板２４を斜め下方から斜め上方に押圧するので、弁桿２３が支持リング２１を中心に揺動することにより弁体２２を移動させて滴下口１８を開口する。滴下口１８から給水を受けて水槽１内の水が所定水位になればフロート２９の浮き部２９ａが上動して図５に示すように押圧棒２９ｂが下動して滴下口１８を閉じる。【００２８】  給水タンク４内の水がなくなれば、給水タンクの給水口１０から、やかん等に入れた水を注入する。または、給水タンク４を本体から外して水道の蛇口から直接注入しても良い。【００２９】  上記実施形態は、本考案の一例に過ぎず、本考案の趣旨の範囲で適宜変形や修正を加えても、本願の実用新案登録請求の範囲に包含されることは明らかである。たとえば、給水タンクを不透明樹脂で構成しても良く、また加湿手段は電気ヒータを用いてもよい。さらに蒸気通路４ｃ内の仕切壁１３を取り去り、そこにステンレス製の円筒を多重にして装着し多重円筒内を蒸気が通過するように構成しても良い。
【図面の簡単な説明】
【００３０】
【図１】本考案加湿器の縦断面図。
【図２】図１の加湿器の給水タンク部分の横断面図。
【図３】同じく給水タンクを取り外した本体の上面図。
【図４】同じく給水タンクの裏面部分に取り付けた給水キャップの一部を示す拡大平面図。
【図５】同じく給水キャップを含む水位制御手段部分の拡大断面図。
【図６】同じく水位制御手段の滴下口が開いた状態を示す水位制御手段部分の拡大断面図。
【図７】図１の符号Ａで囲まれた部分の拡大断面図。
【図８】図１の符号Ｂで囲まれた部分の拡大断面図。
【符号の説明】
【００３１】１      水槽
２      加湿手段
３      本体
４      給水タンク
４ａ    水貯留室
４ｂ    混合室
４ｃ    蒸気通路
４１１  溝
４１３  連通孔
５      水位制御手段
６      電動ファン
８      送風口
９      仕切壁
１０    給水口
１１    蒸気導入口
１２    噴出口
１４    小孔
１８    滴下口
２１    支持リング
２２    弁体
２３    弁桿
２４    作動板
２５    コイルスプリング
２８    送風吐出口
２９    フロート
２９ａ  浮き部
２９ｂ  押圧棒
【図１】
0003110211.tif 000003
【図２】
0003110211.tif 000004
【図３】
0003110211.tif 000005
【図４】
0003110211.tif 000006
【図５】
0003110211.tif 000007
【図６】
0003110211.tif 000008
【図７】
0003110211.tif 000009
【図８】
0003110211.tif 000010